(57)【要約】【課題】炊飯器本体に対して蒸気処理タンクの取り付け、取り外しが容易で、炊飯器本体と蒸気処理タンクの寸法精度が悪かったり、また経年変化して歪みが生じたとしても、炊飯器本体に蒸気処理タンクを取り付けた場合に見栄えが良いこと。【解決手段】炊飯器本体１と、炊飯器本体に着脱可能に設置され、炊飯動作中に発生する蒸気を復水するための冷却水を収容する蒸気処理タンク１０とを備え、炊飯器本体の横幅と蒸気処理タンクの横幅を同じ寸法に形成し、炊飯器本体の前面下部両側からそれぞれ内側寄り位置より前方に突出するタンク受け台２０を設け、タンク受け台に蒸気処理タンクの底部を載置したときに、蒸気処理タンクの底部の両側の下方に空間２５をそれぞれ形成するようにしたものである。【選択図】図５
2010104567.tif 000002
【特許請求の範囲】
【請求項１】
炊飯器本体と、該炊飯器本体に着脱可能に装着した内鍋と、該炊飯器本体の内部に設けられ、前記内鍋を加熱する加熱手段と、該炊飯器本体に開閉自在に設けられた蓋体と、該炊飯器本体に着脱可能に設置され、炊飯動作中に発生する蒸気を復水するための冷却水を収容する蒸気処理タンクを備えた炊飯器において、
前記炊飯器本体の横幅と前記蒸気処理タンクの横幅を同じ寸法に形成し、
前記炊飯器本体の側壁面下部両側からそれぞれ内側寄り位置より前方に突出し、前記蒸気処理タンクの底部を載置するためのタンク受け台を設け、
前記タンク受け台に前記蒸気処理タンクの底部を載置したときに、該蒸気処理タンクの底部の両側の下方に空間をそれぞれ形成するようにしたことを特徴とする炊飯器。
【請求項２】
前記炊飯器本体の前記蒸気処理タンクとの接合壁の上部両側に一対の係止受溝部をそれぞれ横並びに設け、前記蒸気処理タンクの前記炊飯器本体との接合壁の上部両側には、前記炊飯器本体の一対の係止溝受部に引っ掛けるように係止する一対の鉤状係止部を設けたことを特徴とする請求項１記載の炊飯器。
【請求項３】
前記タンク受け台に凹部を形成し、前記蒸気処理タンクの底部に前記タンク受け台の凹部に嵌合する突部を設けたことを特徴とする請求項１又は２記載の炊飯器。
【請求項４】
前記炊飯器本体の接合壁の両側の角部と前記蒸気処理タンクの接合壁の両側の角部には、それぞれＣ面又はＲ面を形成したことを特徴とする請求項１〜３のいずれかに記載の炊飯器。
【発明の詳細な説明】
【技術分野】
【０００１】
本発明は蒸気の回収を行う蒸気処理タンクを備えた炊飯器に係り、特に炊飯器本体に対する蒸気処理タンクの取り付け、取り外しが容易で、見栄えを良くした炊飯器に関するものである。
【背景技術】
【０００２】
従来の炊飯器は、蒸気の回収を行うために蒸気処理タンクを備えており、炊飯器本体と蒸気処理タンクとを着脱自在に一体構成し、炊飯器を清掃する際、炊き上がり後の炊飯器本体や蒸気処理タンクの各部の汚れに簡単にアクセスできるようになり、清掃性を向上させたものが提案されている（例えば、特許文献１参照）。
【特許文献１】特開２００６−２０６８２９号公報（第１０頁、図１０）
【発明の開示】
【発明が解決しようとする課題】
【０００３】
上記のような従来の蒸気処理タンクを備えた炊飯器は、炊飯器本体と蒸気処理タンクとは分離して構成されており、使用する場合には冷却水を入れた蒸気処理タンクを炊飯器本体の前面に装着し、炊き上がり後に清掃する場合には炊飯器本体から蒸気処理タンクを取り外すようにしているが、手をかける箇所がなく、蒸気処理タンク全体を持って炊飯器本体から取り外さなければならず、蒸気処理タンクの取り付け、取り外しがやりにくいという問題があった。
また、炊飯器本体の横幅寸法と蒸気処理タンクの横幅寸法を同等にし、炊飯器本体の側面と蒸気処理タンクの側面とが面一にして見栄えが良いように形成されているが、炊飯器本体や蒸気処理タンクの寸法精度が悪かったり、経年変化による歪み等により、炊飯器本体と蒸気処理タンクの接合部分に段差や隙間が発生して見栄えが悪くなるという問題があった。
本発明はかかる問題点を解決するためになされたもので、炊飯器本体に対して蒸気処理タンクの取り付け、取り外しが容易で、炊飯器本体と蒸気処理タンクの寸法精度が悪かったり、また経年変化して歪みが生じたとしても、炊飯器本体に蒸気処理タンクを取り付けた場合に見栄えが良い炊飯器を得ることを目的とする。
【課題を解決するための手段】
【０００４】
本発明に係る炊飯器は、炊飯器本体と、該炊飯器本体に着脱可能に装着した内鍋と、該炊飯器本体の内部に設けられ、前記内鍋を加熱する加熱手段と、該炊飯器本体に開閉自在に設けられた蓋体と、該炊飯器本体に着脱可能に設置され、炊飯動作中に発生する蒸気を復水するための冷却水を収容する蒸気処理タンクを備えた炊飯器において、前記炊飯器本体の横幅と前記蒸気処理タンクの横幅を同じ寸法に形成し、前記炊飯器本体の側壁面下部両側からそれぞれ内側寄り位置より前方に突出し、前記蒸気処理タンクの底部を載置するためのタンク受け台を設け、前記タンク受け台に前記蒸気処理タンクの底部を載置したときに、該蒸気処理タンクの底部の両側の下方に空間をそれぞれ形成するようにしたものである。
【発明の効果】
【０００５】
本発明に係る炊飯器においては、炊飯器本体と、該炊飯器本体に着脱可能に設置され、炊飯動作中に発生する蒸気を復水するための冷却水を収容する蒸気処理タンクとを備え、炊飯器本体の横幅と前記蒸気処理タンクの横幅を同じ寸法に形成し、炊飯器本体の側壁面下部両側からそれぞれ内側寄り位置より前方に突出し、蒸気処理タンクの底部を載置するためのタンク受け台を設け、タンク受け台に蒸気処理タンクの底部を載置したときに、蒸気処理タンクの底部の両側の下方に空間をそれぞれ形成するようにしたので、蒸気処理タンクを炊飯器本体から取り外す場合、蒸気処理タンクの底部の両側のそれぞれの下方に形成された空間に手を入れて、蒸気処理タンクを上方に持ち上げることにより、蒸気処理タンクを炊飯器本体から簡単に取り外すことができ、また、蒸気処理タンクを炊飯器本体に取り付ける場合も、蒸気処理タンクの底部の両側のそれぞれの下方の空間が形成される部分に手を入れることにより、蒸気処理タンクを持ち、蒸気処理タンクの底部を炊飯器本体の前面下部に設けられたタンク受け台に載置することが簡単に行えることとなった。
【発明を実施するための最良の形態】
【０００６】
図１は本発明の実施の形態の炊飯器で蓋体を開いた状態を示す斜視図、図２は同炊飯器で蓋体を開き、蒸気処理タンクを取り外した状態を示す斜視図、図３は同炊飯器で蒸気導管が内蓋と蒸気処理タンクとに接続された状態を示す斜視図、図４は図３のＡ−Ａ線断面図、図５は同炊飯器を下方から見た斜視図、図６は同炊飯器を前方から見た部分断面図、図７は同炊飯器を側方から見た部分側断面図、図８は同炊飯器で蓋体を開いた状態を示す平面図、図９は同炊飯器の炊飯器本体と蒸気処理タンクの連結部分を示す部分拡大図である。
【０００７】
図１〜図４に示すように、炊飯器本体１は内部に着脱可能に内鍋２を備えている。その内鍋２は炊飯器本体１の内部に設けられた加熱手段（図示省略）によって加熱される。
その炊飯器本体１にはその上部を覆う蓋体３が開閉自在に取り付けられている。
その蓋体３の下面には内蓋４が着脱自在に取り付けられ、その内蓋４に内鍋２の内部の雰囲気温度を検知するサーミスタからなる蓋センサ５が取り付けられている。さらに、内蓋４に蒸気取入口６が設けられ、その蒸気取入口６に蓋体３内に配設された蒸気導管７の一端が接続される。８は蒸気導管７の他端に取り付けられたシール材である。
また、炊飯器本体１の前面側には、炊飯動作中に発生する蒸気を復水するための所定の水位の冷却水を収容する蒸気処理タンク１０が着脱自在に取り付けられる。
【０００８】
その蒸気処理タンク１０は、炊飯器本体１の横幅が同じ寸法で、前後方向の幅が小さくて横に細長く、上部が開口した冷却水を収容するタンク本体１１と、タンク本体１１の上部開口に嵌め込まれ、該開口を閉止する上蓋１２と、上蓋１２の下面に取り付けられ、タンク本体１１の開口と同じ形状のパッキン１３と、上蓋１２の一側部に設けられた小さな蒸気導管受口１４と、蒸気導管受口１４にタンク本体１１内に垂下するよう一体的に取り付けられた連通管１５と、連通管１５の下端に取り付けられたラッパ状の消音部材１６と、タンク本体１１の前面側に覆うように取り付けられたタンクカバー１７とから構成されている。
【０００９】
その連通管１５は、蒸気導管受口１４から垂下してタンク本体１の底部付近まで達するように形成されている。
また、蓋体３内に配設された蒸気導管７のシール材８が取り付けられた他端は、図３及び図４に示す如く、炊飯器本体１に蓋体３が閉じられたときに、蒸気処理タンク１０の上蓋１２の蒸気導管受口１４と連結して連通するように構成されている。
【００１０】
炊飯器本体１の前面下部に、その両側からそれぞれ内側寄り位置より前方に突出するタンク受け台２０が設けられている。そのタンク受け台２０は凹部２０ａを有している。
従って、タンク受け台２０の横幅は炊飯器本体１の前面側の横幅より小さい寸法になる。また、炊飯器本体１の前面側の横幅と蒸気処理タンク１０の横幅が同じ寸法であるから、タンク受け台２０の横幅は蒸気処理タンク１０の横幅より小さい寸法となる。
また、タンク受け台２０の突出寸法は、蒸気処理タンク１０の奥行き寸法より少し小さい。
さらに、蒸気処理タンク１０の高さ寸法は、タンク受け台２０に蒸気処理タンク１０を載置した場合に、炊飯器本体１の上面と蒸気処理タンク１０の上面が面一となるような寸法に形成される。即ち、蒸気処理タンク１０の高さ寸法は、炊飯器本体１の高さ寸法からタンク受け台２０の高さ寸法を差し引いた寸法に形成されている。
【００１１】
また、炊飯器本体１における蒸気処理タンク１０が接合される接合壁である前面壁の上部両側に、一対の係止受溝部２１がそれぞれ横並びに設けられている。
一方、蒸気処理タンク１０における炊飯器本体１が接合される接合壁である後面壁の上部両側には、炊飯器本体１の一対の係止溝受部２１に引っ掛けるように係止する一対の鉤状係止部１８が設けられている。
さらに、タンク本体１１の底部には、炊飯器本体１のタンク受け台２０の凹部２０ａに嵌合する突部１１ａが設けられている。
また、炊飯器本体１の接合壁である前面壁の両側の角部と蒸気処理タンク１０の接合壁である後面壁の両側の角部には、それぞれＣ面２２が形成されている。
ここでいうＣ面２２とは、角部を直線状に切断した平面と、その平面の両側をＲ面に形成した曲面とを備えて構成される面をいう。
【００１２】
この実施の形態１では、冷却水を収容した蒸気処理タンク１０を炊飯器本体１に装着する場合、蒸気処理タンク１０の底部の両側に手を入れて蒸気処理タンク１０を持ち、蒸気処理タンク１０の後面壁の上部両側に設けられた一対の鉤状係止部１８を炊飯器本体１の前面壁の上部両側に設けられた一対の係止溝受部２１に引っ掛けるように係止させる。
そうすると、蒸気処理タンク１０の底部が炊飯器本体１の前面下部に設けられたタンク受け台２０に載置された状態となる。
このように、炊飯器本体１の前面側のタンク受け台２０に蒸気処理タンク１０が載置されて装着された場合、蒸気処理タンク１０のタンク本体１０の底部に設けられた突部１１ａが炊飯器本体１のタンク受け台２０の凹部２０ａに嵌合して蒸気処理タンク１０が位置決めされる。
そして、タンク受け台２０の横幅は蒸気処理タンク１０の横幅より小さい寸法に形成され、タンク受け台２０は炊飯器本体１の前面下部両側からそれぞれ内側寄り位置より前方に突出しており、炊飯器本体１の横幅寸法と蒸気処理タンク１０の横幅寸法は同じであるため、図５に示すように、蒸気処理タンク１０の底部の両側のそれぞれの下方に、蒸気処理タンク１０の横幅よりタンク受け台２０の横幅が小さい分の寸法の半分だけの幅で、タンク受け台２０の高さの空間２５ができる。
【００１３】
従って、蒸気処理タンク１０を炊飯器本体１から取り外す場合、蒸気処理タンク１０の底部の両側のそれぞれの下方に形成された空間３０に手を入れて、蒸気処理タンク１０を上方に持ち上げることにより、蒸気処理タンク１０のタンク本体１１の底部の突部１１ａにおける炊飯器本体１のタンク受け台２０の凹部２０ａに対する嵌合が解除されると共に、蒸気処理タンク１０の後面壁の上部両側の一対の鉤状係止部１８の炊飯器本体１の前面壁の上部両側の一対のタンク係止溝受部２１に対する係止が解除され、蒸気処理タンク１０を炊飯器本体１から簡単に取り外すことができる。
【００１４】
また、蒸気処理タンク１０を炊飯器本体１に取り付ける場合も、蒸気処理タンク１０の底部の両側のそれぞれの下方の空間３０が形成される部分に手を入れることにより、蒸気処理タンク１０を持ち、蒸気処理タンク１０の後面壁の上部両側の一対の鉤状係止部１８を炊飯器本体１の前面壁の上部両側の一対のタンク係止溝受部２１に係止させ、蒸気処理タンク１０の底部を炊飯器本体１の前面下部に設けられたタンク受け台２０に載置することが簡単に行えることとなる。
【００１５】
また、炊飯器本体１の前面壁の両側の角部と蒸気処理タンク１０の後面壁の両側の角部は、それぞれＣ面２２に形成されているので、蒸気処理タンク１０を炊飯器本体１に取り付けた場合に、炊飯器本体１と蒸気処理タンク１０との接合部分の両側に、意匠的に見栄えの良い段差が形成されるため、炊飯器本体１や蒸気処理タンク１０の寸法精度が多少悪くても段差の程度が少し違うだけで見栄えが悪くなることはなく、経年変化により歪みが生じても段差の程度が少し違うだけで見栄えがそれほど悪くなることがない。
【００１６】
この実施の形態１では、炊飯器本体１の前面壁の両側の角部と蒸気処理タンク１０の後面壁の両側の角部は、それぞれ意匠的に見栄えを良くするためにＣ面２２に形成されているが、炊飯器本体１の前面壁の両側の角部と蒸気処理タンク１０の後面壁の両側の角部を、曲面だけのＲ面としても、蒸気処理タンク１０を炊飯器本体１に取り付けた場合に、炊飯器本体１と蒸気処理タンク１０との接合部分の両側に段差が形成されるため、炊飯器本体１や蒸気処理タンク１０の寸法精度が多少悪くても段差の程度が少し違うだけで見栄えがそれほど悪くなることはなく、経年変化により歪みが生じても段差の程度が少し違うだけで見栄えがそれほど悪くなることがない。
【図面の簡単な説明】
【００１７】
【図１】本発明の実施の形態の炊飯器で蓋体を開いた状態を示す斜視図。
【図２】同炊飯器で蓋体を開き、蒸気処理タンクを取り外した状態を示す斜視図。
【図３】同炊飯器で蒸気導管が内蓋と蒸気処理タンクとに接続された状態を示す斜視図。
【図４】図３のＡ−Ａ線断面図。
【図５】同炊飯器を下方から見た斜視図。
【図６】同炊飯器を前方から見た部分断面図。
【図７】同炊飯器を側方から見た部分側断面図。
【図８】同炊飯器で蓋体を開いた状態を示す平面図。
【図９】同炊飯器の炊飯器本体と蒸気処理タンクの連結部分を示す部分拡大図。
【符号の説明】
【００１８】
１  炊飯器本体、２  内鍋、３  蓋体、４  内蓋、５  蓋センサ、６  蒸気取入口、７  蒸気導管、１０  蒸気処理タンク、１１  タンク本体、１１ａ  突部、１２  上蓋、１４  蒸気導管受口、１５  連通管、１７  タンクカバー、１８  鉤状係止部、２０  タンク受け台、２０ａ  凹部、２１  係止溝受部、２２  Ｃ面、２５  空間。
【図１】
2010104567.tif 000003
【図２】
2010104567.tif 000004
【図３】
2010104567.tif 000005
【図４】
2010104567.tif 000006
【図５】
2010104567.tif 000007
【図６】
2010104567.tif 000008
【図７】
2010104567.tif 000009
【図８】
2010104567.tif 000010
【図９】
2010104567.tif 000011